(57)【要約】【課題】断熱性能を向上させることができるグレモンハンドル構造およびグレモンハンドル構造が設けられたサッシを提供する。【解決手段】サッシ枠２と、サッシ枠２に吊元を軸として回動可能に支持されるサッシ障子３とを備えるサッシ１に設けられるグレモンハンドル構造１０において、サッシ障子３の戸先框５の室内１４側見込み面に設けられたグレモンハンドル６と、戸先框５からサッシ枠２側へ突出しサッシ障子３とサッシ枠２とを係止可能なピン（被係止部）７２が設けられたグレモン連動バー７と、グレモン連動バー７をグレモンハンドル６に連動させる連動部８と、を有し、グレモン連動バー７は、グレモンハンドル６よりも見込み方向の室外１３側に設けられている。【選択図】図２
2015196963.tif 000002
【特許請求の範囲】
【請求項１】
サッシ枠と、該サッシ枠に吊元を軸として回動可能に支持されるサッシ障子とを備えるサッシに設けられるグレモンハンドル構造において、
前記サッシ障子の戸先框の室内側見込み面に設けられたグレモンハンドルと、
前記戸先框から前記サッシ枠側へ突出し前記サッシ障子と前記サッシ枠とを係止可能な被係止部が設けられたグレモン連動バーと、
該グレモン連動バーを前記グレモンハンドルに連動させる連動部と、を有し、
前記グレモン連動バーは、前記グレモンハンドルよりも見込み方向の室外側に設けられていることを特徴とするグレモンハンドル構造。
【請求項２】
前記グレモンハンドルの少なくとも一部と、前記グレモン連動バーの少なくとも一部とは、見付け方向で重なる位置に設けられることを特徴とする請求項１に記載のグレモンハンドル構造。
【請求項３】
前記連動部は、板面が見付け方向を向き、見込み方向の中間部に段部が形成されたプレートを有し、
該プレートは、前記段部よりも室内側の部分に前記グレモンハンドルが連結され、前記段部よりも室外側の部分に前記グレモン連動バーが連結されていて、前記段部よりも室外側の部分は、前記段部よりも室内側の部分と比べて、前記サッシ枠と離間していることを特徴とする請求項２に記載のグレモンハンドル構造。
【請求項４】
請求項１乃至３のいずれか一項に記載のグレモンハンドル構造が設けられたことを特徴とするサッシ。
【請求項５】
前記サッシ枠は、前記戸先框の室内側で該戸先框と見込み方向に重なるように配置された框隠し部を有していることを特徴とする請求項４に記載のサッシ。
【発明の詳細な説明】
【技術分野】
【０００１】
本発明は、縦辷り出し窓や横辷り出し窓などのサッシ障子がその吊元を軸として回動可能に取り付けられたサッシに設けられるグレモンハンドル構造およびグレモンハンドル構造が設けられたサッシに関する。
【背景技術】
【０００２】
従来、サッシ障子がその吊元を軸として回動自在に取り付けられた縦辷り出し窓や、横滑り出し窓などの中には、吊元側と反対側となる戸先框にグレモンハンドルが設けられていて、グレモンハンドルと連動するグレモン連動バーが戸先框側の縦枠に係止されることで施錠されるように構成されているものが知られている（例えば、特許文献１参照）。
また、サッシ障子の戸先框の見付け方向の寸法を小さくし、サッシ障子が開口部を閉鎖している状態において、戸先框がサッシ枠と見込み方向に重なるようにした隠し框構造が知られている（例えば特許文献２参照）。このような隠し框構造は、見栄えを良くすることができるとともに、例えばアルミニウムと樹脂の複合サッシなどに適用すると、断熱性能を更に高めることができる。
【先行技術文献】
【特許文献】
【０００３】
【特許文献１】特開２００３−１１３６８８号公報
【特許文献２】特開２０１０‐２８５８３６号公報
【発明の概要】
【発明が解決しようとする課題】
【０００４】
ここで、隠し框構造の縦辷り出し窓のサッシにグレモンハンドルが設けられる場合、戸先框の室内側にグレモンハンドルとグレモン連動バーとが平面視において見付け方向に並んで配列されている。このため、戸先框の見付け方向の寸法は、グレモンハンドルとグレモン連動バーとが、平面視において見付け方向に並んで配列可能な寸法とする必要があり、小さくすることができず、断熱性能を向上させることができないという問題がある。
【０００５】
また、グレモン連動バーは、サッシ障子が吊元を軸として回動する際には、縦枠と対向する側の先端部のピンが縦枠側に膨む円弧上の軌跡を描くため、縦枠と当たらないようにピンと縦枠との間にクリアランスをとる必要がある。ここで、隠し框構造の場合は、戸先框の見込み方向の室内側にグレモンハンドルおよびグレモン連動バーが設けられていることにより、戸先框の見付け方向の縦枠側にグレモン連動バーが設けられている場合と比べて、サッシ障子が吊元を軸として回動する際に、ピンが縦枠側に大きく膨らむ円弧状の軌跡を描くため、ピンと縦枠との間のクリアランスを大きくする必要があり、断熱性能が低くなるという問題がある。
【０００６】
そこで、本発明は、断熱性能を向上させることができるグレモンハンドル構造およびグレモンハンドル構造が設けられたサッシを提供することを目的とする。
【課題を解決するための手段】
【０００７】
上記目的を達成するため、本発明に係るグレモンハンドル構造は、サッシ枠と、該サッシ枠に吊元を軸として回動可能に支持されるサッシ障子とを備えるサッシに設けられるグレモンハンドル構造において、前記サッシ障子の戸先框の室内側見込み面に設けられたグレモンハンドルと、前記戸先框から前記サッシ枠側へ突出し前記サッシ障子と前記サッシ枠とを係止可能な被係止部が設けられたグレモン連動バーと、該グレモン連動バーを前記グレモンハンドルに連動させる連動部と、を有し、前記グレモン連動バーは、前記グレモンハンドルよりも見込み方向の室外側に設けられていることを特徴とする。
また、本発明に係るサッシは、上記のグレモンハンドル構造が設けられたことを特徴とする。
【０００８】
本発明では、グレモン連動バーは、グレモンハンドルよりも見込み方向の室外側に配置されていることにより、グレモン連動バーがグレモンハンドルと見込み方向で重なる位置に配置されている場合と比べて、サッシ障子が吊元を軸として回動した際に、戸先框から突出する被係止部が描くサッシ枠に膨らむ円弧状の軌跡を小さくできるため、被係止部とサッシ枠との間のクリアランスを小さくできる。
これにより、戸先框とサッシ枠との間隔を小さくすることができて、サッシの断熱性能を向上させることができる。
【０００９】
また、本発明に係るグレモンハンドル構造では、前記グレモンハンドルの少なくとも一部と、前記グレモン連動バーの少なくとも一部とは、見付け方向で重なる位置に設けられることが好ましい。
このような構成とすることにより、グレモンハンドルとグレモン連動バーとを合わせた
見付け方向の寸法を小さくできるため、戸先框の見付け方向の寸法を小さくでき、サッシの断熱性能を向上させることができる。
【００１０】
また、本発明に係るグレモンハンドル構造では、前記連動部は、板面が見付け方向を向き、見込み方向の中間部に段部が形成されたプレートを有し、該プレートは、前記段部よりも室内側の部分に前記グレモンハンドルが連結され、前記段部よりも室外側の部分に前記グレモン連動バーが連結されていて、前記段部よりも室外側の部分は、前記段部よりも室内側の部分と比べて、前記サッシ枠と離間していることが好ましい。
このような構成とすることにより、グレモンハンドルの少なくとも一部と、グレモン連動バーの少なくとも一部とが見付け方向で重なる位置に設けられる場合にも、グレモンハンドルとグレモン連動バーと連結することができて、グレモンハンドルの操作によって確実にグレモン連動バーを連動させることができる。
【００１１】
また、本発明に係るサッシは、前記サッシ枠は、前記戸先框の室内側で該戸先框と見込み方向に重なるように配置された框隠し部を有していることが好ましい。
このような構成とすることにより、サッシの断熱性能をより向上させることができる。
【発明の効果】
【００１２】
本発明によれば、グレモン連動バーは、グレモンハンドルよりも見込み方向の室外側に配置されていることにより、グレモン連動バーがグレモンハンドルと見込み方向で重なる位置に配置されている場合と比べて、サッシ障子が吊元を軸として回動した際に、戸先框から突出する被係止部が描くサッシ枠に膨らむ円弧状の軌跡を小さくできるため、被係止部とサッシ枠との間のクリアランスを小さくできる。
これにより、戸先框とサッシ枠との間隔を小さくすることができて、サッシの断熱性能を向上させることができる。
【図面の簡単な説明】
【００１３】
【図１】本発明の実施形態によるサッシの一例を示す図で室内側から見た正面図である。
【図２】図１のＡ−Ａ線断面図である。
【図３】図２のＢ方向矢視図である。
【図４】図２のＣ方向矢視図である。
【発明を実施するための形態】
【００１４】
以下、本発明の実施形態によるグレモンハンドル構造およびグレモンハンドル構造が設けられたサッシについて、図１乃至図４に基づいて説明する。
図１に示すように、本実施形態によるサッシ１は、縦辷り出し窓のアルミニウムと樹脂の複合のサッシで、建物１１の開口部１２に固定されたサッシ枠２と、サッシ枠２の内部に上下方向（図中の矢印Ｄの方向）に延びる吊元３ａを軸として回動可能に取り付けられるサッシ障子３と、を備えている。
【００１５】
サッシ枠２は、開口部１２の縁部に沿った矩形状に形成されていて、見付け方向（図中の矢印Ｅの方向）に延在する上枠２１および下枠２２と、上下方向に延在する一対の縦枠４，２３と、を有している。ここで、一対の縦枠４，２３のうち、サッシ障子３が開口部１２を閉鎖した状態において、サッシ障子３の戸先框５に対向する縦枠４を第１縦枠４とし、サッシ障子３の吊元框３３と対向する縦枠２３を第２縦枠２３として以下説明する。
【００１６】
サッシ障子３は、見付け方向に延在する上框３１および下框３２と、上下方向に延在する戸先框５および吊元框３３と、これらの框５，３１〜３３の内側に配置されるガラス３４と、を有している。
ここで、サッシ枠２の第１縦枠４およびサッシ障子３の戸先框５以外は、公知のものとして以下説明する。
【００１７】
図２に示すように、第１縦枠４は、建物１１に固定されて板面が見付け方向を向く板状の本体部４１と、本体部４１に支持された框隠し部４２と、を有している。
本体部４１および框隠し部４２は、いずれもサッシ枠２の全高さにわたって延在する部材で、本体部４１は、アルミニウムなどの金属を材料として形成されていて、框隠し部４２は、本体部４１を形成する材料よりも熱伝導率の低い塩ビ（ＰＶＣ）などの樹脂を材料として形成されている。
框隠し部４２は、サッシ障子３が開口部１２を閉鎖している状態において、戸先框５の室内１４側で戸先框５と見込み方向（図中の矢印Ｆの方向）に重なるように配置されている。
【００１８】
戸先框５は、室外１３側に配置される室外側形材５１と、室外側形材５１の室内１４側に配置される室内側形材５２と、を有している。
室外側形材５１および室内側形材５２は、いずれもサッシ障子３の全高さにわたって延在する部材で、室外側形材５１は、アルミニウムなどの金属を材料として形成されていて、室内側形材５２は、室外側形材５１を形成する材料よりも熱伝導率の低い塩ビ（ＰＶＣ）などの樹脂を材料として形成されている。
【００１９】
室外側形材５１は、板面が見付け方向を向き、見込み方向の寸法が戸先框５の見込み方向の寸法と略同じ第１板部５３と、板面が見付け方向を向き、第１板部５３よりも見込み方向の寸法が小さい第２板部５４と、を有している。
第１板部５３は、見込み方向の中間部に室内側形材５２と係合可能な係合部５３ａが形成されていて、係合部５３ａよりも室内１４側の部分は、室内側形材５２の第１縦枠４側の端面を押さえるように構成されている。第１板部５３には、上下方向に延びる第１長孔５５が形成されている。
第２板部５４は、第１板部５３の係合部５３ａよりも室外１３側の部分の第１縦枠４側の面と重なるように設けられている。第２板部５４には、上下方向に延びる第２長孔５６および第３長孔５７が上下方向に間隔をあけて形成されている。
なお、第１長孔５５、第２長孔５６および第３長孔５７は、上下方向の長さが略同じ寸法となるように形成されている。
これらの第１板部５３および第２板部５４は、サッシ障子３の全高さにわたって延在している。
【００２０】
本実施形態によるグレモンハンドル構造１０は、戸先框５の室内側形材５２に設けられたグレモンハンドル６と、戸先框５の室外側形材５１の第１縦枠４側に設けられたグレモン連動バー７と、グレモンハンドル６にグレモン連動バー７を連動させる連動部８と、第１縦枠４に設けられてグレモン連動バー７を係止可能な係止部９と、を備えている。
【００２１】
グレモンハンドル６は、室内側形材５２の上下方向の中間部に設けられていて、室内側形材５２から吊元３ａ側へ突出し使用者が把持可能な把持部６１と、把持部６１と連結され室内側形材５２の内部に配置されるインナー部６２と、を有している。
グレモンハンドル６は、把持部６１とインナー部６２との連結部に位置し見込み方向に延びる軸６ａを中心に回動可能に構成されている。そして、軸６ａを中心に把持部６１が下側に向かって回動するとインナー部６２が上側へ向かって回動し、軸６ａを中心に把持部６１が上側へ向かって回動するとインナー部６２が下側へ向かって回動するように構成されている。
【００２２】
インナー部６２は、戸先框５の第１板部５３に形成された第１長孔５５に挿通されたビスなどの第１固定具８２を介して、連動部８のプレート８１と連結されている。この第１固定具８２は、第１長孔５５内を上下方向に移動可能に構成されている。
【００２３】
グレモン連動バー７は、グレモンハンドル６よりも上側に設けられていて、見付け方向に延在する基部７１と、基部７１の第１縦枠４側の端部に設けられたピン（被係止部）７２と、を有している。
基部７１は、ピン７２が設けられている側と反対側の端部が、戸先框５の第２板部５４に形成された第２長孔５６に挿入されている。基部７１は、第２長孔５６内を上下方向に移動可能に構成されている。
ピン７２は、基部７１よりも径が大きく形成されていて、第２長孔５６に挿通できないように構成されている。
このようなグレモン連動バー７は、ピン７２が設けられている側が戸先框５の第２板部５４から第１縦枠４側に突出している。
【００２４】
連動部８は、戸先框５の第１板部５３および第２板部５４の第１縦枠４側に設けられたプレート８１と、第１板部５３と第２板部５４との間に設けられてプレート８１とグレモン連動バー７の基部７１とを連結する連結材８３と、を有している。
プレート８１は、板面が見付け方向を向く略矩形状の板材で、見込み方向の中間部に段部８１ａが形成されている。プレート８１は、段部８１ａより室外１３側の部分８１ｂが、段部８１ａより室内１４側の部分８１ｃよりも第１縦枠４と離間している。
連結材８３は、戸先框５の第２板部５４に形成された第３長孔５７に挿通されたビスなどの第２固定具８４を介して、連動部８のプレート８１と連結されている。この第２固定具８４は、第３長孔５７内を上下方向に移動可能に構成されている。
【００２５】
係止部９は、グレモン連動バー７と対応する高さにおいて第１縦枠４の本体部４１に固定されていて、板面が見付け方向を向く板部９１と、板部９１を第１縦枠４に固定する固定部９２と、有している。なお、板部９１と固定部９２とは一体に形成されていてもよいし、別の部材で構成されていてもよい。
係止部９は、第１縦枠４の本体部４１に固定されると、板部９１が第１縦枠４の本体部４１と見付け方向に離間している。板部９１と第１縦枠４の本体部４１との間隔は、ピン７２の見付け方向の寸法よりも大きくなるように設定されている。
【００２６】
また、板部９１は、見込み方向の略中央部よりも室内１４側が、室外１３側よりも下側に突出しているとともに、見込み方向の略中央部よりも室外１３側に下側に開口する切欠き部９３が形成されている。切欠き部９３の見込み方向の寸法は、グレモン連動バー７の基部７１の見込み方向の寸法よりも大きく、ピン７２の見込み方向の寸法よりも小さくなるように設定されている。
そして、係止部９は、第１縦枠４の本体部４１との間に下側からグレモン連動バー７のピン７２が挿入され、係止部９の切り込み９３にグレモン連動バー７の基部７１が挿入されると、ピン７２を係止して、グレモン連動バー７の見付け方向および見込み方向の移動を拘束可能に構成されている。
【００２７】
このようなグレモンハンドル構造１０では、サッシ障子３が開口部１２を閉鎖した状態で、使用者がグレモンハンドル６の把持部６１をその軸６ａを中心に下側へ回動させると、インナー部６２が上側へ移動し、これに伴いプレート８１も上側へ移動する。そして、プレート８１が上側へ移動することで連結材８３を介してグレモン連動バー７も上側へ移動する。これにより、係止部９の板部９１と第１縦枠４との間にピン７２が挿入され、ピン７２が係止部９に係止されて施錠されるように構成されている。
また、施錠された状態から、使用者が把持部６１をその軸６ａを中心に上側へ回動させると、インナー部６２が下側へ移動し、これに伴いプレート８１も下側へ移動する。そして、プレート８１が下側へ移動することで連結材８３を介してグレモン連動バー７も下側へ移動する。これにより、板部９１と第１縦枠４との間からピン７２が外れて、解錠されるように構成されている。  
【００２８】
次に、上述したグレモンハンドル構造およびサッシの作用・効果について図面を用いて説明する。
本実施形態によるグレモンハンドル構造１０では、グレモン連動バー７は、グレモンハンドル６よりも見込み方向の室外１３側に配置されていることにより、グレモン連動バー７がグレモンハンドル６と見込み方向で重なる位置に配置されている場合と比べて、サッシ障子３が吊元３ａを軸として回動した際に、グレモン連動バー７のピン７２が描く第１縦枠４側に膨らむ円弧状の軌跡を小さくできるため、ピン７２と第１縦枠４との間のクリアランスを小さくできる。
このため、戸先框５と第１縦枠４との間隔を小さくすることができて、サッシ１の断熱性能を向上させることができる。
【００２９】
また、グレモンハンドル６のインナー部６２の一部と、グレモン連動バー７の基部７１の一部と、が見付け方向で重なる位置に設けられていることにより、インナー部６２からグレモン連動バー７のピン７２までの寸法を小さくできるため、戸先框５の見付け方向の寸法を小さくすることができ、サッシ１の断熱性能をより向上させることができる。
また、戸先框５の見付け方向の寸法を小さくできることにより、ガラス３４の面積を大きくできるため、ガラス３４からより多く採光できるとともに、眺望性をよくすることができる。
また、第１縦枠４は、框隠し部４２を有することにより、サッシ１の断熱性能をより向上させることができる。
【００３０】
また、プレート８１には、見込み方向の中間部に段部８１ａが形成されていることにより、グレモンハンドル６のインナー部６２の一部と、グレモン連動バー７の基部７１の一部と、が見付け方向で重なる位置に設けられている場合にも、グレモンハンドル６のインナー部６２とグレモン連動バー７の基部７１とを、プレート８１および連結材８３を介して確実に連結することができる。
【００３１】
以上、本発明によるグレモンハンドル構造およびグレモンハンドル構造が設けられたサッシの実施形態について説明したが、本発明は上記の実施形態に限定されるものではなく、その趣旨を逸脱しない範囲で適宜変更可能である。
例えば、上記の実施形態では、サッシ１は、縦辷り出し窓としているが、横滑り出し窓としてもよい。
また、上記の実施形態では、グレモン連動バー７の先端部に被係止部としてピン７２が設けられていて、第１縦枠４に係止部９として切欠き部９３が形成された板部９１が設けられているが、グレモン連動バー７が第１縦枠４に係止される形態は上記以外の形態としてもよい。
【００３２】
また、上記の実施形態では、プレート８１には、段部８１ａが形成されているが、段部８１ａが形成されていなくてもよい。
また、上記の実施形態では、グレモンハンドル６のインナー部６２の一部と、グレモン連動バー７の基部７１の一部とが、見付け方向で重なる位置に設けられているが、このように設けられていなくてもよい。
また、上記の実施形態では、第１縦枠４には、框隠し部４２が設けられているが、框隠し部４２が設けられていなくてもよい。
【符号の説明】
【００３３】
１  サッシ
２  サッシ枠
３  サッシ障子
３ａ  吊元
４  第１縦枠
５  戸先框
６  グレモンハンドル
７  グレモン連動バー
８  連動部
９  係止部
１０  グレモンハンドル構造
１２  開口部
１３  室外
１４  室内
４２  框隠し部
６１  把持部
７２  ピン（被係止部）
８１  プレート
８１ａ  段部
【図１】
2015196963.tif 000003
【図２】
2015196963.tif 000004
【図３】
2015196963.tif 000005
【図４】
2015196963.tif 000006